(57)【要約】【課題】洗浄力を向上させたバキュームクリーナを得る。【解決手段】上搬送ロール２４ａ，２４ｂ，２４ｃ，２４ｄ及び下搬送ロール２６ａ，２６ｂ，２６ｃ，２６ｄはワーク２８を挟んで搬送する。支持部１６ａ，１６ｂは上搬送ロール２４ａ，２４ｂ，２４ｃ，２４ｄ及び下搬送ロール２６ａ，２６ｂ，２６ｃ，２６ｄを支持する。バイブレータ３４ａ，３４ｂは、それぞれ支持部１６ａ，１６ｂに振動を与える。上搬送ロール２４ａ，２４ｂ，２４ｃ，２４ｄ及び下搬送ロール２６ａ，２６ｂ，２６ｃ，２６ｄがワーク２８を挟み、かつバイブレータ３４ａ，３４ｂが支持部部１６ａ，１６ｂに振動を与えている状態で、バキュームブロック２０ａ，２０ｂ，２０ｃはワーク２８に付着したゴミを吸引除去する。【選択図】図２
2010022909.tif 000002
【特許請求の範囲】
【請求項１】
ワークを挟んで搬送する上搬送ロール及び下搬送ロールと、
前記上搬送ロール及び前記下搬送ロールを支持する支持部と、
前記支持部に振動を与えるバイブレータと、
前記上搬送ロール及び前記下搬送ロールが前記ワークを挟み、かつ前記バイブレータが前記支持部に振動を与えている状態で、前記ワークに付着したゴミを吸引除去するバキュームブロックとを備えることを特徴とするバキュームクリーナ。
【請求項２】
前記支持部は、前記上搬送ロールの一端及び前記下搬送ロールの一端を支持する第１の支持部と、前記上搬送ロールの他端及び前記下搬送ロールの他端を支持する第２の支持部とを有し、
前記バイブレータは、前記第１の支持部に振動を与える第１のバイブレータと、前記第２の支持部に振動を与える第２のバイブレータとを有することを特徴とする請求項１に記載のバキュームクリーナ。
【請求項３】
前記支持部及び前記バキュームブロックが固定されたベースを更に備えることを特徴とする請求項１に記載のバキュームクリーナ。
【請求項４】
前記下搬送ロールは、前記支持部に対して上下方向に移動できず、
前記上搬送ロールは、前記下搬送ロールの上側に配置され、前記支持部に対して上下方向に移動できることを特徴とする請求項１に記載のバキュームクリーナ。
【発明の詳細な説明】
【技術分野】
【０００１】
本発明は、ワークに付着したゴミを吸引除去するバキュームクリーナに関し、特に洗浄力を向上させたバキュームクリーナに関するものである。
【背景技術】
【０００２】
プリント基板の製造工程において、基板表面のゴミ、基板の小径スルーホール内のゴミ、基板のパターン内のゴミなどを吸引除去するバキュームクリーナが用いられている（例えば、特許文献１参照）。
【０００３】
【特許文献１】特開２００２−９６０３５号公報
【発明の開示】
【発明が解決しようとする課題】
【０００４】
従来のバキュームクリーナによる真空吸引では基板のゴミを十分に除去しきれない場合があった。
【０００５】
本発明は、上述のような課題を解決するためになされたもので、その目的は、洗浄力を向上させたバキュームクリーナを得るものである。
【課題を解決するための手段】
【０００６】
本発明は、ワークを挟んで搬送する上搬送ロール及び下搬送ロールと、前記上搬送ロール及び前記下搬送ロールを支持する支持部と、前記支持部に振動を与えるバイブレータと、前記上搬送ロール及び前記下搬送ロールが前記ワークを挟み、かつ前記バイブレータが前記支持部に振動を与えている状態で、前記ワークに付着したゴミを吸引除去するバキュームブロックとを備えることを特徴とするバキュームクリーナである。
【発明の効果】
【０００７】
本発明により、洗浄力を向上させることができる。
【発明を実施するための最良の形態】
【０００８】
図１は、本発明の実施の形態に係るバキュームクリーナを示す断面図である。また、図２は図１のＡ−Ａ´における断面図であり、図３は図１のＢ−Ｂ´における断面図である。
【０００９】
土台１０の上に、振動を吸収するゴムなどの弾性材１２を介して、板状のベース１４が搭載されている。ベース１４の上面に支持部１６ａ，１６ｂ、ブローホース１８ａ，１８ｂ，１８ｃ及びバキュームブロック２０ａ，２０ｂ，２０ｃが固定され、ベース１４の下面にチャンバー室２２が設けられている。支持部１６ａ（第１の支持部）は、上搬送ロール２４ａ，２４ｂ，２４ｃ，２４ｄの一端及び下搬送ロール２６ａ，２６ｂ，２６ｃ，２６ｄの一端を支持する。支持部１６ｂ（第２の支持部）は、上搬送ロール２４ａ，２４ｂ，２４ｃ，２４ｄの他端及び下搬送ロール２６ａ，２６ｂ，２６ｃ，２６ｄの他端を支持する。上搬送ロール２４ａ，２４ｂ，２４ｃ，２４ｄは、それぞれ対応する下搬送ロール２６ａ，２６ｂ，２６ｃ，２６ｄの上側に配置されている。
【００１０】
上搬送ロール２４ａ，２４ｂ，２４ｃ，２４ｄと下搬送ロール２６ａ，２６ｂ，２６ｃ，２６ｄは、両者の間にワーク２８を挟んで、ワーク搬送ライン３０に沿って入口から出口までワーク２８を搬送する。なお、ワーク２８は、例えば部品を実装する前のプリント基板であり、複数の穴が開いている。上搬送ロール２４ａ，２４ｂ，２４ｃ，２４ｄ及び下搬送ロール２６ａ，２６ｂ，２６ｃ，２６ｄは、例えばウレタン製である。
【００１１】
ブローホース１８ａ，１８ｂ，１８ｃは、ワーク２８の上面に空気を噴射する。そして、バキュームブロック２０ａ，２０ｂ，２０ｃは、ワーク２８の下面から空気を吸引することで、ワーク２８に付着したゴミを吸引除去する。
【００１２】
バキュームブロック２０ａ，２０ｂ，２０ｃは筒状になっており、バキュームブロック２０ａ，２０ｂ，２０ｃ内の空洞はベース１４の開口を介してチャンバー室２２に繋がっている。このチャンバー室２２内は、外部の集塵機（不図示）により真空引きされている。そして、バキューム制御バルブ３２ａ，３２ｂ，３２ｃがベース１４の開口を開閉することで、それぞれバキュームブロック２０ａ，２０ｂ，２０ｃによる吸引を制御する。
【００１３】
支持部１６ａの上部にバイブレータ３４ａ（第１のバイブレータ）が設けられ、支持部１６ｂの上部にバイブレータ３４ｂ（第２のバイブレータ）が設けられている。これらのバイブレータ３４ａ，３４ｂは、それぞれ支持部１６ａ，１６ｂに振動を与える。バイブレータ３４ａ，３４ｂは、例えば偏心させたコロを空気により回転させることで振動を発生させる。
【００１４】
このような構造を有するバキュームクリーナにおいて、上搬送ロール２４ａ，２４ｂ，２４ｃ，２４ｄ及び下搬送ロール２６ａ，２６ｂ，２６ｃ，２６ｄがワーク２８を挟み、かつバイブレータ３４ａ，３４ｂがそれぞれ支持部１６ａ，１６ｂに振動を与えている状態で、バキュームブロック２０ａ，２０ｂ，２０ｃはワーク２８に付着したゴミを吸引除去する。これにより、ワーク２８に振動を与えながらゴミを吸引除去することができるため、洗浄力が向上する。
【００１５】
また、左右の支持部１６ａ，１６ｂにそれぞれバイブレータ３４ａ，３４ｂを設けたことで、上搬送ロール２４ａ，２４ｂ，２４ｃ，２４ｄ及び下搬送ロール２６ａ，２６ｂ，２６ｃ，２６ｄの両端を効率的に振動させることができる。
【００１６】
また、支持部１６ａ，１６ｂとバキュームブロック２０ａ，２０ｂ，２０ｃはベース１４に固定されているため、両者は同じ方向に振動する。これにより、ワーク２８とバキュームブロック２０ａ，２０ｂ，２０ｃも同じ方向に振動するため、ワーク２８にバキュームブロック２０ａ，２０ｂ，２０ｃが衝突するのを防ぐことができる。
【００１７】
図４は、搬送ロールと支持部の連結部分を拡大した図である。上搬送ロール２４ａ及び下搬送ロール２６ａと支持部１６ａの連結部分について説明するが、支持部１６ｂや他の搬送ロールについても同様である。
【００１８】
下搬送ロール２６ａは、ベアリング３６を介して支持部１６ａに取り付けられている。従って、下搬送ロール２６ａは、支持部１６ａに対して回転できるが、上下方向に移動できない。この下搬送ロール２６ａには、モータ（不図示）によりワーク２８を搬送するための回転力が印加される。
【００１９】
一方、上搬送ロール２４ａは、ベアリング３８を介して四角い軸受け４０に取り付けられている。この軸受け４０は、支持部１６ａに設けられた長穴４２に挿入されている。そして、軸受け４０の上下方向の長さは、長穴４２の上下方向の長さよりも小さい。従って、上搬送ロール２４ａは、支持部１６ａに対して回転でき、かつ上下方向に移動もできる。なお、摩擦でゴミが発生するのを防ぐため、軸受け４０は樹脂製である。
【００２０】
このように上搬送ロール２４ａが上下方向に移動するため、上搬送ロール２４ａと下搬送ロール２６ａの間にワーク２８を挟むことができる。挟まれたワーク２８は上搬送ロール２４ａの自重により保持される。そして、下搬送ロール２６ａは上下方向に移動できないため、バイブレータ３４ａが支持部１６ａに与えた振動を下搬送ロール２６ａに確実に与えることができる。従って、ワーク２８にも確実に振動を与えることができる。
【図面の簡単な説明】
【００２１】
【図１】本発明の実施の形態に係るバキュームクリーナを示す断面図である。
【図２】図１のＡ−Ａ´における断面図である。
【図３】図１のＢ−Ｂ´における断面図である。
【図４】搬送ロールと支持部の連結部分を拡大した図である。
【符号の説明】
【００２２】
１４  ベース
１６ａ  支持部（第１の支持部）
１６ｂ  支持部（第２の支持部）
２０ａ，２０ｂ，２０ｃ  バキュームブロック
２４ａ，２４ｂ，２４ｃ，２４ｄ  上搬送ロール
２６ａ，２６ｂ，２６ｃ，２６ｄ  下搬送ロール
２８  ワーク
３４ａ  バイブレータ（第１のバイブレータ）
３４ｂ  バイブレータ（第２のバイブレータ）
【図１】
2010022909.tif 000003
【図２】
2010022909.tif 000004
【図３】
2010022909.tif 000005
【図４】
2010022909.tif 000006